(57)【要約】【課題】電子機器の内蔵ファンに加わる負担を少なくしつつ、ラック実装ファンの消費電力を抑えることができる電子機器収納ラックを提供する。【解決手段】ラック実装ファンをデフォルト回転数で回転し（Ｓ１）、内側圧力センサからラック本体内部の内気圧を入力するとともに外側圧力センサからラック本体外部の外気圧を入力し（Ｓ２）、内気圧と外気圧とを比較する（Ｓ３）。内気圧と外気圧とが同圧又は内気圧がやや低い負圧の場合、何もせずにステップＳ２へ移行する一方、内気圧が外気圧より高い場合、ラック実装ファンの回転数を上げてラック本体外へ排出量を増大して（Ｓ４）、ステップＳ２へ移行する。内気圧が外気圧より低い場合、ラック実装ファンの回転数を下げてラック本体外への排出量を減少して（Ｓ５）、ステップＳ２へ移行する。【選択図】図２
2011216814.tif 000002
【特許請求の範囲】
【請求項１】
ラック本体に収納された電子機器の内蔵ファンによって当該ラック本体内に排出された熱を該ラック本体に設けられたラック実装ファンによって当該ラック本体外部へ排出する機能を備えた電子機器収納ラックにおいて、
前記ラック本体内部の内気圧と前記ラック本体外部の外気圧とを入力する圧力入力手段と、
前記内気圧と前記外気圧との差に基づいて前記ラック実装ファンの回転を制御する回転制御手段と、
を備えたことを特徴とする電子機器収納ラック。
【請求項２】
前記回転制御手段は、前記内気圧が前記外気圧より高い場合に前記ラック実装ファンの回転数を上げて排出量を増大する一方、前記内気圧が前記外気圧より低い場合に前記ラック実装ファンの回転数を下げて排出量を減少し、前記内気圧と前記外気圧とが略同圧又は前記内気圧がやや負圧となるように制御することを特徴とする請求項１記載の電子機器収納ラック。
【発明の詳細な説明】
【技術分野】
【０００１】
本発明は、サーバコンピュータ等の電子機器を収納する電子機器収納ラックに関する。
【背景技術】
【０００２】
従来、サーバーコンピュータやネットワーク機器等の電子機器を管理する際には、電子機器収納ラックが用いられている（例えば、特許文献１参照。）。
【０００３】
この電子機器収納ラックのラック本体には、複数の電子機器が上下に配置されており、各電子機器は、その前面が前方に露出するように取り付けられている。各電子機器には、電子機器内蔵ファンが設けられており、該電子機器内蔵ファンによって電子機器前面から空気を取り込んで背面から排出することで、当該電子機器内部の熱をラック本体の背面スペースへ排出できるように構成されている。
【０００４】
一方、前記電子機器収納ラックには、ラック実装ファンが設けられており、前記各電子機器よりラック本体内の背面スペースに排出された空気をラック本体外部へ強制排出できるように構成されている。これにより、ラック本体内に貯留した熱を外部へ排出できるように構成されている。
【０００５】
前記ラック実装ファンのとしては、ラック本体内の温度に応じてオンオフ制御あるいは回転制御されるものが知られおり、前記各電子機器に設けられた電子機器内蔵ファンと独立して制御することで、ラック本体内の温度が設定値以上にならないように制御されている。
【先行技術文献】
【特許文献】
【０００６】
【特許文献１】特開２００５−０１９８５７号公報
【発明の概要】
【発明が解決しようとする課題】
【０００７】
しかしながら、このような従来の電子機器収納ラックにあっては、各電子機器の電子機器内蔵ファンによる総風量よりラック実装ファンの風量が多い場合、ラック本体内部が負圧となり、内外の圧力差は次第に大きくなる。
【０００８】
すると、この圧力差は、前記電子機器内蔵ファンの回転数を無理矢理上昇する力として働き、当該電子機器内蔵ファンに加わる負担が大きく、寿命を低下させる恐れがあった。
【０００９】
一方、前記各電子機器内蔵ファンによる総風量よりも前記ラック実装ファンの風量が少ない場合、ラック本体内の熱を外部へ排出する能力が低下し、本来の冷却能力を十分に発揮することができない。
【００１０】
このため、ラック実装ファンは、常時最大風量で回転させなければならず、必要風量に応じた消費電力の削減を図ることができなかった。
【００１１】
本発明は、このような従来の課題に鑑みてなされたものであり、電子機器の内蔵ファンに加わる負担を少なくしつつ、ラック実装ファンの消費電力を抑えることができる電子機器収納ラックを提供することを目的とするものである。
【課題を解決するための手段】
【００１２】
前記課題を解決するために本発明の請求項１の電子機器収納ラックにあっては、ラック本体に収納された電子機器の内蔵ファンによって当該ラック本体内に排出された熱を該ラック本体に設けられたラック実装ファンによって当該ラック本体外部へ排出する機能を備えた電子機器収納ラックにおいて、前記ラック本体内部の内気圧と前記ラック本体外部の外気圧とを入力する圧力入力手段と、前記内気圧と前記外気圧との差に基づいて前記ラック実装ファンの回転を制御する回転制御手段と、を備えている。
【００１３】
すなわち、ラック本体に収納された電子機器の内部温度が設定値より高くなった場合、当該電子機器は、内部の冷却効率を高める為に内蔵ファンを回転する又は回転数を上昇する。すると、ラック本体内の内気圧は、ラック本体外部の外気圧より高くなる。一方、前記電子機器の内部温度が設定値より低くなった場合には、冷却効率を低下する為に前記内蔵ファンを停止する又は回転数を低下する。これにより、前記内気圧は、前記外気圧より低くなる。
【００１４】
このとき、電子機器収納ラックにおいては、前記内気圧と前記外気圧とを入力するとともに、前記内気圧と前記外気圧との差に基づいて、前記ラック実装ファンの回転を制御する。
【００１５】
このため、前記ラック本体内の温度に応じてラック実装ファンを制御する構造上、前記内気圧の状態と前記外気圧の状態とは無関係に前記ラック実装ファンを制御する従来と比較して、前記内気圧と前記外気圧との差を抑える為の制御が可能となる。
【００１６】
この際に、前記電子機器から排出された熱は、その排出量に応じて当該ラック本体外部へ排出される。このため、電子機器の内部温度が高くなり、当該電子機器からの排出量が増大した際には、これに伴ってラック本体外部への排出量が増大し、排熱効率が高められる。また、電子機器の内部温度が低くなり、当該電子機器からの排出量が減少した際には、これに伴ってラック本体外部への排出量を減少することで、前記ラック実装ファンの消費電力が抑えられる。
【００１７】
また、請求項２の電子機器収納ラックにおいては、前記回転制御手段は、前記内気圧が前記外気圧より高い場合に前記ラック実装ファンの回転数を上げて排出量を増大する一方、前記内気圧が前記外気圧より低い場合に前記ラック実装ファンの回転数を下げて排出量を減少し、前記内気圧と前記外気圧とが略同圧又は前記内気圧がやや負圧となるように制御する。
【００１８】
すなわち、前記内気圧が前記外気圧より高くなった場合には、前記ラック実装ファンの回転数を上げることによって、ラック本体外部への排出量を増大することができる。一方、前記内気圧が前記外気圧より低くなった場合には、前記ラック実装ファンの回転数を下げることによって、ラック本体外部への排出量を減少することができ、これにより前記内気圧と前記外気圧とが略同圧又は前記内気圧がやや負圧となるように制御することができる。
【発明の効果】
【００１９】
以上説明したように本発明の請求項１の電子機器収納ラックにあっては、ラック本体に収納された電子機器の内部温度に基づいて当該電子機器の内蔵ファンが制御され、これに伴って当該ラック本体内の内気圧とラック本体外の外気圧とに差圧が生じた場合には、この差圧に基づいて当該ラック本体に設けられたラック実装ファンの回転を制御することができる。
【００２０】
このため、前記ラック本体内の温度に応じて前記ラック実装ファンを制御する構造上、前記内気圧の状態と前記外気圧の状態とは無関係に前記ラック実装ファンを制御してしまう従来と比較して、前記ラック本体内部と外部とで生じ得る圧力差を抑えることができる。
【００２１】
また、十分な冷却性能を得る為に前記ラック実装ファンの風量を高めに設定するため、ラック本体内が常時負圧となる場合のように、前記内蔵ファンがこの負圧によって無理矢理回転させられる場合と比較して、当該内蔵ファンに加わる外的負担を減少することができる。
【００２２】
そして、前記電子機器の内部温度の上昇に伴って当該電子機器からの排出量が増大し、前記圧力差が変化した際には、前記ラック実装ファンによるラック本体外部への排出量が増大することで、排熱効率を高めることができる。一方、前記電子機器の内部温度が低くなり、当該電子機器からの排出量が減少し、前記圧力差が変化した際には、これに伴って前記ラック実装ファンの回転を抑えて前記ラック本体外への排出量を減少することで、前記ラック実装ファンの消費電力を抑えることができる。
【００２３】
したがって、収納された電子機器の内蔵ファンの長寿命化と、前記ラック実装ファンの省電力化とを両立することができる。
【００２４】
また、請求項２の電子機器収納ラックにおいては、ラック本体内の内気圧がラック本体外の外気圧より高くなった場合には、ラック実装ファンの回転数を上げることで、ラック本体外への排出量を増大することができる。一方、前記内気圧が前記外気圧より低くなった場合には、前記ラック実装ファンの回転数を下げることで、ラック本体外への排出量を減少することができる。
【００２５】
このように、前記内気圧と前記外気圧との圧力差に基づいて前記ラック実装ファンの回転数を制御することで、前記内気圧と前記外気圧とが略同圧又は前記内気圧がやや負圧となるように制御することができる。
【００２６】
したがって、前記内蔵ファンへの負荷状態と前記ラック実装ファンの消費電力とを適切な状態に維持することができる。
【図面の簡単な説明】
【００２７】
【図１】本発明の第一の実施の形態を示す模式図である。
【図２】第一の実施の形態の動作を示すフローチャートである。
【図３】第二の実施の形態の動作を示すフローチャートである。
【図４】第三の実施の形態の動作を示すフローチャートである。
【発明を実施するための形態】
【００２８】
（第一の実施の形態）
【００２９】
以下、本発明の第一の実施の形態を図に従って説明する。
【００３０】
図１は、本実施の形態にかかる電子機器収納ラック１を示す図であり、該電子機器収納ラック１は、サーバー室などに設置されサーバコンピュータやネットワーク機器等の電子機器２を収納して管理するものである。
【００３１】
この電子機器収納ラック１のラック本体１１は、骨格を構成する図外のフレームを備えており、該フレームの底部には、底面を構成する底板１２が設けられている。前記フレームの天部には、天板１３が設けられており、その側面を構成する両側部は、側板１４によって覆われている。また、前記フレームの背部には、背面ドア１５が開閉可能に設けられており、開放することで前記電子機器２のメインテナンス背面側からできるように構成されている。
【００３２】
前記各側板１４（一方のみ図示）には、任意の高さ位置に固定用ブラケットを取り付けられるように構成されており、前記両側板１４の対向位置に設けられた固定用ブラケットによって前記電子機器２を支持できるように構成されている。
【００３３】
これにより、当該ラック本体１１には、複数の電子機器２，・・・を上下に配置した状態で保持できるように構成されており、前記電子機器２が実装されない空き空間２１には、ブランクパネル２２を設けることで、当該空き空間２１の開放を防止できるように構成されている。
【００３４】
前記各電子機器２，・・・は、その前面３１が当該ラック本体１１の前方を向いた状態で取り付けられるように構成されており、各電子機器２，・・・の前面３１に設けられたスイッチ類の操作や表示類の確認を行えるように構成されている。
【００３５】
このラック本体１１は、前記電子機器２，・・・を格納した状態で、各電子機器２，・・・の背部側に背面スペース４１を確保できるように、奥行寸法が設定されている。これにより、各電子機器２，・・・間を接続するケーブルの配索等を前記背面スペース４１にて行えるように構成されている。
【００３６】
前記各電子機器２，・・・は、使用に際して発熱するため、冷却用の電子機器内蔵ファン５１を備えている。該電子機器内蔵ファン５１は、前記電子機器２によって制御されており、当該電子機器２の内部温度が設定温度に達した際に作動する又は回転数が上昇するように構成されている。この電子機器内蔵ファン５１は、冷却用の空気を前記前面３１から取り込んで背面５２から排出するように構成されており、内部で発生した熱を前記背面スペース４１へ排出できるように構成されている。
【００３７】
前記電子機器２の前記設定温度は、各電子機器２，・・・毎に異なる温度に設定されており、それぞれの電子機器２，・・・に適した温度に設定されている。このため、前記各電子機器２，・・・から空気の排出量は、前記各電子機器２，・・・の状態によって大きく異なるとともに、その排出温度も電子機器２，・・・毎に異なるので、前記背面スペース４１の温度管理を行うには複雑な制御を要する。
【００３８】
一方、前記ラック本体１１の前記天板１３には、その奥側に開口部６１が開設されており、該開口部６１には、ラック実装ファン６２が設けられている。該ラック実装ファン６２は、当該ラック本体１１に設けられた制御装置６３に接続されており、該制御装置６３からの出力によって制御されるように構成されている。これにより、当該ラック本体１１に収納された前記各電子機器２，・・・の前記電子機器内蔵ファン５１，・・・によって当該ラック本体１１内に排出された熱を、前記ラック実装ファン６２により当該ラック本体１１外部へ排出できるように構成されている。
【００３９】
前記制御装置６３には、内側圧力センサ７１と外側圧力センサ７２とが接続されている。各圧力センサ７１，７２は、圧力を検出するとともに検出した圧力を電気信号として前記制御装置６３に出力するように構成されており、例えば電気抵抗が圧力に応じて変化する部品によって構成されている。
【００４０】
前記内側圧力センサ７１は、前記背面ドア１５の内側に設けられており、当該ラック本体１１内、具体的には前記背面スペース４１の圧力を検出し、その圧力を前記制御装置６３に出力するように構成されている。また、前記外側圧力センサ７２は、前記背面ドア１５の外側に設けられており、当該ラック本体１１外部の圧力を検出し、その圧力を前記制御装置６３に出力するように構成されている。
【００４１】
この制御装置６３は、ＲＯＭ及びＲＡＭを内蔵したマイコンを中心に構成されており、前記ＲＯＭに記憶されたプログラムに従って動作することで、前記ラック実装ファン６２を制御できるように構成されている。
【００４２】
これにより、前記内側圧力センサ７１から入力した当該ラック本体１１内部の内気圧と前記外側圧力センサ７２から入力した当該ラック本体１１外部の外気圧との圧力差に基づいて、前記ラック実装ファン６２の回転を制御できるように構成されている。
【００４３】
すなわち、前記制御装置６３のマイコンが前記ＲＯＭに記憶されたプログラムに従って動作を開始すると、図２に示すフローチャートに示すように、前記ラック実装ファン６２を、前記ＲＯＭ等に予め設定されたデフォルト回転数で回転した後（Ｓ１）、前記内側圧力センサ７１から当該ラック本体１１内部の内気圧を入力するとともに前記外側圧力センサ７２から当該ラック本体１１外部の外気圧を入力し（Ｓ２）、前記内気圧と前記外気圧とを比較する（Ｓ３）。
【００４４】
このとき、前記内気圧と前記外気圧とが同圧又は前記内気圧がやや低い負圧の場合には、何もせずに前記ステップＳ２へ移行する一方、前記内気圧が前記外気圧より高い場合には、前記ラック実装ファン６２の回転数を上げラック本体１１外への排出量を増大して（Ｓ４）、前記ステップＳ２へ移行する。また、前記内気圧が前記外気圧より低い場合には、前記ラック実装ファン６２の回転数を下げラック本体１１外への排出量を減少して（Ｓ５）、前記ステップＳ２へ移行する。
【００４５】
そして、前記ステップＳ２〜前記ステップＳ５の処理を繰り返すことによって、前記内気圧と前記外気圧とが略同圧又は前記内気圧がやや負圧となるように制御できるように構成されている。
【００４６】
以上の構成にかかる本実施の形態において、前記ラック本体１１に収納された前記各電子機器２，・・・の内部温度が各電子機器２，・・・に設定された設定温度より高くなると、各電子機器２，・・・は、内部の冷却効率を高める為に前記電子機器内蔵ファン５１を回転する又は回転数を上昇する。すると、前記ラック本体１１内の内気圧は、当該ラック本体１１外部の外気圧より高くなる。
【００４７】
一方、前記各電子機器２，・・・の内部温度が設定温度より低くなった場合には、冷却効率を低下する為に前記電子機器内蔵ファン５１を停止する又は回転数を低下する。これにより、前記内気圧は、前記外気圧より低くなる。
【００４８】
このとき、この電子機器収納ラック１の前記制御装置６３は、前記内気圧と前記外気圧とを入力するとともに（Ｓ２）、前記内気圧と前記外気圧との差に基づいて（Ｓ３）、前記ラック実装ファン６２の回転を制御する（Ｓ４，Ｓ５）。
【００４９】
具体的に説明すると、前記ラック本体１１内の内気圧が該ラック本体１１外の外気圧より高くなった場合には、前記ラック実装ファン６２の回転数を上げることで、当該ラック本体１１外への排出量を増大することができる。一方、前記内気圧が前記外気圧より低くなった場合には、前記ラック実装ファン６２の回転数を下げることで、当該ラック本体１１外への排出量を減少することができる。
【００５０】
このように、前記ラック本体１１に収納された各電子機器２，・・・の内部温度に基づいて当該電子機器２，・・・の電子機器内蔵ファン５１，・・・が制御され、これに伴って当該ラック本体１１内の内気圧とラック本体１１外の外気圧とに差圧が生じた場合には、この圧力差に基づいて当該ラック本体１１に設けられた前記ラック実装ファン６２の回転を制御することができる。これにより、前記内気圧と前記外気圧とが略同圧又は前記内気圧がやや負圧となるように制御することができる。
【００５１】
このため、前記ラック本体１１内の温度に応じて前記ラック実装ファン６２を制御する構造上、前記内気圧の状態と前記外気圧の状態とは無関係に前記ラック実装ファン６２を制御してしまう従来と比較して、前記ラック本体１１内部と外部とで生じ得る圧力差を抑えることができる。
【００５２】
また、十分な冷却性能を得る為に前記ラック実装ファン６２の風量を高めに設定するため、ラック本体１１内が常時負圧となり、前記電子機器内蔵ファン５１がこの負圧によって無理矢理回転させられる場合と比較して、当該電子機器内蔵ファン５１に加わる外的負担を減少することができる。
【００５３】
そして、前記電子機器２，・・・の内部温度の上昇に伴って当該電子機器２，・・・からの排出量が増大し、前記圧力差が変化した際には、前記ラック実装ファン６２によるラック本体１１外部への排出量が増大することで、排熱効率を高めることができる。
【００５４】
一方、前記電子機器２，・・・の内部温度が低くなり、当該電子機器２，・・・からの排出量が減少し、前記圧力差が変化した際には、これに伴って前記ラック実装ファン６２の回転を抑えて前記ラック本体１１外への排出量を減少することで、前記ラック実装ファン６２の消費電力を抑えることができる。
【００５５】
これにより、前記電子機器内蔵ファン５１への負荷状態と前記ラック実装ファン６２の消費電力とを適切な状態に維持することができるので、収納された電子機器２，・・・の電子機器内蔵ファン５１，・・・の長寿命化と、前記ラック実装ファン６２の省電力化とを両立することができる。
【００５６】
（第二の実施の形態）
【００５７】
図３は、本発明の第二の実施の形態の動作を示すフローチャートであり、前記ラック実装ファン６２をＰＷＭ制御する場合における前記制御装置６３のマイコンによる動作が示されている。
【００５８】
すなわち、前記制御装置６３のマイコンが前記ＲＯＭに記憶されたプログラムに従って動作を開始すると、前記ＲＯＭに予め設定されたデューティー比のＰＷＭ制御信号を前記ラック実装ファン６２に出力することで当該ラック実装ファン６２をデフォルト回転数で回転した後（ＳＢ１）、前記内側圧力センサ７１から当該ラック本体１１内部の内気圧を入力するとともに前記外側圧力センサ７２から当該ラック本体１１外部の外気圧を入力して（ＳＢ２）、前記内気圧と前記外気圧とを比較する（ＳＢ３）。
【００５９】
このとき、前記内気圧と前記外気圧とが同圧又は前記内気圧がやや低い負圧の場合には、前記ＰＷＭ制御信号を現在のデューティー比に維持したまま前記ラック実装ファン６２へ出力することで、該ラック実装ファン６２の回転数を維持して（ＳＢ４）、前記ステップＳＢ２へ移行する。
【００６０】
また、前記内気圧が前記外気圧より高い場合には、前記ＰＷＭ制御信号のデューティー比を大きくして前記ラック実装ファン６２へ出力することで、該ラック実装ファン６２の回転数を上げ、当該ラック本体１１外への排出量を増大して（ＳＢ５）、前記ステップＳＢ２へ移行する。
【００６１】
一方、前記内気圧が前記外気圧より低い場合には、前記ＰＷＭ制御信号のデューティー比を小さくして前記ラック実装ファン６２へ出力することで、該ラック実装ファン６２の回転数を下げ、当該ラック本体１１外への排出量を減少して（ＳＢ６）、前記ステップＳＢ２へ移行する。
【００６２】
そして、前記ステップＳＢ２〜前記ステップＳＢ６の処理を繰り返すことによって、前記内気圧と前記外気圧とが略同圧又は前記内気圧がやや負圧となるように制御する。
【００６３】
これにより、前述した第一の実施の形態と同様の作用効果を得ることができる。
【００６４】
また、前記ラック実装ファン６２の回転数を前記ＰＷＭ制御信号のデューティー比によって制御するため、前記マイコンから出力されるデジタル信号をＤ／Ａ変換等することなく利用でき、回路構成の簡素化を図ることができる。
【００６５】
（第三の実施の形態）
【００６６】
図４は、本発明の第三の実施の形態の動作を示すフローチャートであり、前記ラック実装ファン６２を電圧制御する場合における前記制御装置６３のマイコンによる動作が示されている。
【００６７】
すなわち、前記制御装置６３のマイコンが前記ＲＯＭに記憶されたプログラムに従って動作を開始すると、前記ＲＯＭに予め設定された電圧値の制御信号を前記ラック実装ファン６２に出力することで当該ラック実装ファン６２をデフォルト回転数で回転した後（ＳＣ１）、前記内側圧力センサ７１から当該ラック本体１１内部の内気圧を入力するとともに前記外側圧力センサ７２から当該ラック本体１１外部の外気圧を入力して（ＳＣ２）、前記内気圧と前記外気圧とを比較する（ＳＣ３）。
【００６８】
このとき、前記内気圧と前記外気圧とが同圧又は前記内気圧がやや低い負圧の場合には、前記制御信号を現在の電圧値に維持したまま前記ラック実装ファン６２へ出力することで、該ラック実装ファン６２の回転数を維持して（ＳＣ４）、前記ステップＳＣ２へ移行する。
【００６９】
また、前記内気圧が前記外気圧より高い場合には、前記制御信号の電圧値を大きくして前記ラック実装ファン６２へ出力することで、該ラック実装ファン６２の回転数を上げ、当該ラック本体１１外への排出量を増大して（ＳＣ５）、前記ステップＳＣ２へ移行する。
【００７０】
一方、前記内気圧が前記外気圧より低い場合には、前記制御信号の電圧値を小さくして前記ラック実装ファン６２へ出力することで、該ラック実装ファン６２の回転数を下げ、当該ラック本体１１外への排出量を減少して（ＳＣ６）、前記ステップＳＣ２へ移行する。
【００７１】
そして、前記ステップＳＣ２〜前記ステップＳＣ６の処理を繰り返すことによって、前記内気圧と前記外気圧とが略同圧又は前記内気圧がやや負圧となるように制御する。
【００７２】
これにより、前述した第一の実施の形態と同様の作用効果を得ることができる。
【００７３】
また、前記ラック実装ファン６２へ印加する電圧値を変更して回転数を制御するため、ラック実装ファン６２の回転を滑らかにすることができる。
【符号の説明】
【００７４】
１    電子機器収納ラック
２    電子機器
１１    ラック本体
５１    電子機器内蔵ファン
６２    ラック実装ファン
６３    制御装置
７１    内側圧力センサ
７２    外側圧力センサ
【図１】
2011216814.tif 000003
【図２】
2011216814.tif 000004
【図３】
2011216814.tif 000005
【図４】
2011216814.tif 000006
【手続補正書】
【提出日】平成22年4月23日(2010.4.23)
【手続補正２】
【補正対象書類名】明細書
【補正対象項目名】０００５
【補正方法】変更
【補正の内容】
【０００５】
前記ラック実装ファンのとしては、ラック本体内の温度に応じてオンオフ制御あるいは回転制御されるものが知られており、前記各電子機器に設けられた電子機器内蔵ファンと独立して制御することで、ラック本体内の温度が設定値以上にならないように制御されている。